(57)【要約】【課題】照明光が写真等の装飾紙を透過することにより吸収されることを防止でき、写真とともに他の装飾品も飾ることができ、装飾品としての価値を高めることができる照明付きの装飾装置を提供する。【解決手段】透明な前面板２及びこれと対向配置された背面板３並びにこれら前面板と背面板との間を覆う天板４２、底板４１及び一対の側面板４３によって構成された中空の筺体１と、この筺体内に上下方向に配置されて装飾紙を支持する支持板６と、天板４２の支持板６より前面板２側に垂設されて、光を下方に照射する照明７とを有する照明付きの装飾装置とした。また、支持板を側面板間の中央部から側面板側に向けて漸次背面板側から前面板側に位置する曲面状に配置するとともに、支持板を筺体内の空間が前面板側の空間と背面板側の空間とに２分される大きさに形成した。【選択図】図１
2009066206.tif 000002
【特許請求の範囲】
【請求項１】
透明な前面板及びこれと対向配置された背面板並びにこれら前面板と背面板との間を覆う天板、底板及び一対の側面板によって構成された中空の筺体と、この筺体内に上下方向に配置されて、装飾紙を支持する支持板と、上記天板の上記支持板より上記前面板側に垂設されて、光を下方に照射する照明とを有することを特徴とする照明付きの装飾装置。
【請求項２】
上記支持板は、上記側面板間の中央部からそれぞれ上記側面板側に向けて漸次上記背面板側から前面板側に位置する曲面状に配置されるとともに、上記筺体内の空間が上記前面板側の空間と上記背面板側の空間とに２分される大きさを有していることを特徴とする請求項１に記載の照明付きの装飾装置。
【請求項３】
上記照明は、上記側面板間の中央部に配設されているとともに、その電源コードが上記支持板の裏面における上記側面板間の中央部に上下方向に向けて配設されており、上記電源コードは、上記支持板と一体的に設けられていることを特徴とする請求項２に記載の照明付きの装飾装置。
【請求項４】
上記照明は、上記側面板間の中央部に配設されており、
上記支持板の上部には、上記側面板間の中央部に上記照明の電源コードを嵌め込むための係合溝が形成されるとともに、上記底板の上記背面板側には、上記電源コードを挿通させるための挿通孔が形成されており、かつ
上記電源コードは、上記係合溝を通じて、上記筺体内の上記支持板より上記背面板側の空間に配設されるとともに、当該背面板側の空間において上記天板上から上記側面板上を経て上記底板上に配設されることにより、上記挿通孔から排出されていることを特徴とする請求項２に記載の照明付きの装飾装置。
【請求項５】
上記照明は、その光源として発光ダイオードが用いられていることを特徴とする請求項１ないし４のいずれか一項に記載の照明付きの装飾装置。
【発明の詳細な説明】
【技術分野】
【０００１】
本発明は、写真等の装飾紙を飾ることができ、特に、玄関先の間接照明として用いるのに適した照明付きの装飾装置に関するものである。
【背景技術】
【０００２】
写真立てとしては、一般的に照明が付属していない額状のものが用いられているものの、特許文献１に示すように、前面板および背面板と、これらの間の外周を覆う天板、底板および一対の側面板とを有する閉塞的な筺体内に写真を支持する保形パネルが垂直に配置されてなる照明付きのものも知られている。
【０００３】
しかしながら、この照明付きの写真立ては、照明ランプが保形パネルと背面板との間に垂直に配設された筒体に内設されていることから、この照明ランプの設置スペースを確保するために保形パネルが側面板間の中央部からそれぞれ側面板側に向けて漸次上記前面板側から背面板側に位置する曲面状に配置されている。
【０００４】
このため、この照明付き写真立ては、照明ランプの光が保形パネルや写真等を透過する際に吸収されてしまうことから光のエネルギー効率が悪い上に、保形パネルの前に他の装飾品を飾るスペースとしての装飾スペースを形成することができず、装飾品の価値を高めるには限界があるという問題があった。加えて、筺体内の閉塞的な狭いスペースに照明ランプを設置するため、発光に伴って発生する熱が内部に充満してしまうことにより、構成部品の素材によっては変形等の問題が生じうる。
【０００５】
【特許文献１】特開平０７−２０４０６７号公報
【発明の開示】
【発明が解決しようとする課題】
【０００６】
そこで、本発明は、照明光が写真等の装飾紙を透過することによって装飾紙に吸収されてエネルギー効率が悪化することを防止でき、写真等とともに他の装飾品も飾ることができる等の装飾品としての価値を高めることができ、より好ましくは照明の発熱により構成部品の素材が限定されることのない照明付きの装飾装置を提供することを課題とする。
【課題を解決するための手段】
【０００７】
請求項１に記載の照明付きの装飾装置は、透明な前面板及びこれと対向配置された背面板並びにこれら前面板と背面板との間を覆う天板、底板及び一対の側面板によって構成された中空の筺体と、この筺体内に上下方向に配置されて、装飾紙を支持する支持板と、上記天板の上記支持板より上記前面板側に垂設されて、光を下方に照射する照明とを有することを特徴とするものである。
【０００８】
請求項２に記載の発明は、請求項１に記載の照明付きの装飾装置において、上記支持板は、上記側面板間の中央部からそれぞれ上記側面板側に向けて漸次上記背面板側から前面板側に位置する曲面状に配置されるとともに、上記筺体内の空間が上記前面板側の空間と上記背面板側の空間とに２分される大きさを有していることを特徴とするものである。
【０００９】
請求項３に記載の発明は、請求項２に記載の照明付きの装飾装置において、上記照明は、上記側面板間の中央部に配設されているとともに、その電源コードが上記支持板の裏面における上記側面板間の中央部に上下方向に向けて配設されており、上記電源コードは、上記支持板と一体的に設けられていることを特徴とするものである。
【００１０】
請求項４に記載の発明は、請求項２に記載の照明付きの装飾装置において、上記照明は、上記側面板間の中央部に配設されており、上記支持板の上部には、上記側面板間の中央部に上記照明の電源コードを嵌め込むための係合溝が形成されるとともに、上記底板の上記背面板側には、上記電源コードを挿通させるための挿通孔が形成されており、かつ上記電源コードは、上記係合溝を通じて、上記筺体内の上記支持板より上記背面板側の空間に配設されるとともに、当該背面板側の空間において上記天板上から上記側面板上を経て上記底板上に配設されることにより、上記挿通孔から排出されていることを特徴とするものである。
【００１１】
請求項５に記載の発明は、上記請求項１ないし４のいずれか１項に記載の照明付きの装飾装置において、上記照明の光源として発光ダイオードが用いられていることを特徴とするものである。
【発明の効果】
【００１２】
請求項１に記載の照明付きの装飾装置によれば、写真等の装飾紙に対して間接的に光を照らすことから、暗いところでも装飾紙の絵柄を浮き上がらせるようにして鑑賞することができる。また、玄関等に置くことにより、周囲の空間に対する間接照明として利用することができるだけでなく、照明を支持板の裏に配置して照明光を支持板に透過させる場合と比較して、照明光の装飾紙による吸収を効果的に抑制して、間接照明としての光量を増加させることができ、光のエネルギー効率を高めることができる。
【００１３】
さらに、照明を天板の支持板より前面板側に垂設したため、請求項２に記載の発明のように支持板を上記側面板間の中央部からそれぞれ上記側面板側に向けて漸次背面板側から前面板側に位置する曲面状に配設することができ、従って、底板の中央部に、他の装飾品を設置するための装飾スペースを形成することもできる。
加えて、照明光によって装飾紙を略均等に照らすこともでき、嗜好性を高めるとともに、装飾品としての幅を広げかつ価値を高めることができる。
また、支持板を筺体内の空間が前面板側の空間と背面板側の空間とに２分される大きさに形成したため、例えば、支持板として不透明な部材を用いることによって、照明の電源コード等を背面板側の空間に隠すことができ、意匠性を高めることができる。
【００１４】
特に、請求項３に記載の照明付きの装飾装置によれば、照明の電源コードを支持板の裏面における側面板間の中央部に上下方向に向けて配設して、上記支持板と一体的に設けたため、支持板の中央部に荷重を作用させて姿勢保持能を補強することにより、支持板を底板上に安定的に載置することができる。
【００１５】
他方、請求項４に記載の照明付きの装飾装置によれば、照明の電源コードを支持板の係合溝に嵌め込むことによって、支持板の位置を固定して、底板上に安定的に載置することができるとともに、電源コードを筺体内の上記支持板より背面板側の空間に配設して、天板上から側面板上を経て底板上に配設することにより、挿通孔から排出させたため、背面板を外すことによって、支持板を容易に筺体内から取り出し、筺体内に入れ込むことができる。
【００１６】
また、請求項５に記載の発明によれば、照明として発光ダイオードを用いたため、フィラメントを用いる電球等よりも小型であることから、照明全体を筺体内に配置して、装飾性を高めることができるとともに、光が指向性を有することから、効果的に装飾紙や装飾スペースに飾った装飾品を照らすことができる。
加えて、発光ダイオードは、発光の際の発熱量が少ないために閉塞的な狭いスペースである筺体内に設置しても、装飾装置の構成部品の熱による変形の問題がない。このため、装飾装置の構成部品として装飾性の観点から好ましい素材を選択することができ、より照明付き装飾装置の装飾品としての幅を広げ、価値を高めることができる。
【発明を実施するための最良の形態】
【００１７】
以下、本発明に係る照明付き装飾装置の２つの実施形態について、図１〜図６を用いて説明する。
【００１８】
［第１の実施形態］
まず、第１の実施の形態における照明付き装飾装置は、図１〜図４に示すように、矩形板状の前面板２及びこれと対向配置された同形状の背面板３並びにこれらの前面板２と背面板３との間を覆う底板４１、天板４２、及び一対の側面板４３によって構成された中空の筺体１と、底板４１に一体的に設けられた厚板状の台座５とを有している。
そして、底板４１および天板４２には、それぞれ２本の突条部材４９が一体に設けられて、これら２本の突条部材４２によって背面板３をスライドさせるスライドレールが形成されており、この天板４２の背面板３側の突条部材４９には、係合部材４２ａが一体的に設けられている。この係合部材４２ａには、鋲や係止紐を挿通させるための貫通穴が形成されている。
【００１９】
また、側面板４３は、それぞれ前面板２と前面板２側の突条部材４９との間を閉塞するようにして設けられており、筐体１は、前面板２のみがアクリル板等の無色透明の部材からなるとともに、底板４１、天板４２及び一対の側面板４３並びに背面板３が木材やアクリル板等の不透明の部材によって構成されている。
【００２０】
さらに、この筺体１内には、写真Ｄ等の装飾紙を支持する不透明の支持板６が配置されている。
この支持板６は、可撓性及び姿勢保持能を有する薄肉状のシートであり、その湾曲方向の大きさである幅が底板４１よりも大きく形成されるとともに、その高さが側面板４３と略同等の大きさに形成されることにより、筺体１内の空間を前面板２側の空間と背面板３側の空間とに２分する大きさに形成されている。これにより、支持板６は、その幅方向の両端部をそれぞれ前面板２又は前面板２側の側面板４３に当接させることによって、前面板２前方に円中心を有する略円弧状に湾曲して、側面板４３間の中央部からそれぞれ側面板４３側に向けて漸次背面板３側から前面板２側に位置する曲面状に配置されている。
【００２１】
また、支持板６は、その上部であって、かつ湾曲方向の中央部に係合溝６１が形成されるとともに、その下部に上下一対の係合爪６２が形成されている。この係合爪６２は、支持板６にコ字状の切り欠き溝を形成して、切り欠き溝内の薄肉を裏面側に折り曲げることにより形成されている。
【００２２】
これにより、筺体１内の前面板２側の空間には、底板４１に他の装飾物を載置するスペースとしての装飾スペース４１ａが形成されるとともに、前面板２側の空間における天板４２には、光を下方に向けて照射する照明７が垂設されている。
そして、この照明７は、その光源として白色発光ダイオード７０が内蔵されているとともに、発光ダイオイード７０が露出する開口を円中心に形成した外観視において肉厚の円板状に形成されている。
【００２３】
そして、照明７には、その外周面の係合溝６１に臨む位置に電源コード７１が接続されており、この電源コード７１は、係合溝６１に嵌め込まれるとともに、支持板６の裏面において係合爪６２に嵌め込まれることにより支持板６と一体的に設けられている。
他方、底板４１には、幅方向の中央部であって、かつ背面板３側に電源コード７１を挿通させるための切り欠き溝（挿通孔）４８が形成されている。
【００２４】
次いで、上記第１の実施形態の照明付き装飾装置の作用について説明する。
まず、背面板３を水平にスライドさせて筺体１を開いた後に、電源コード７１とともに支持板６の下部を手前側上方に持ち上げて、好みに応じて装飾スペース４１ａに装飾品を載置するとともに、写真Ｄをセロハンテープ等によって支持板６に貼り付ける。その後、支持板６をもとの位置に戻して、背面板３をスライドさせて筺体１を閉じる。
【００２５】
次いで、電源コード７１の先端のプラグをコンセントに接続して、電源を入れる。
すると、照明７の光が写真Ｄや装飾スペース４１ａに載置された装飾品を照らすとともに、前面板２を通過して周囲の空間を照らす。これにより、照明付き装飾装置は、間接照明や装飾品としての役割を果たす。
【００２６】
［第２の実施形態］
次いで、第２の実施形態における照明付き装飾装置について、図５及び図６を用いて説明する。なお、第１の実施形態と同一の構成については、同一の符号を付すことによって説明を簡略する。
【００２７】
本実施形態における照明付き装飾装置は、第１の実施形態と同様に、前面板２及び背面板３並びに底板４１、天板４２、及び一対の側面板４３によって構成された中空の筺体１と、厚板状の台座５とを有している。
そして、底板４１および天板４２には、２本の突条部材４２によって背面板３をスライドさせるスライドレールが形成されており、この天板４２の背面板３側の突条部材４９には、係合部材４２ａが一体的に設けられている。この係合部材４２ａには、鋲や係止紐を挿通させるための貫通穴が形成されている。
【００２８】
さらに、この筺体１内には、写真Ｄ等の装飾紙を支持する不透明の支持板６が配置されており、この支持板６は、その幅方向の両端部をそれぞれ前面板２又は前面板２側の側面板４３に当接させることによって、前面板２前方に円中心を有する略円弧状に湾曲して配置されているとともに、その上部であって、かつ湾曲方向の中央部に係合溝６１が形成されている。
これにより、筺体１内の前面板２側の空間には、底板４１に他の装飾物を載置するスペースとしての装飾スペース４１ａが形成されるとともに、前面板２側の空間における天板４２には、光を下方に向けて照射する照明７が垂設されている。
【００２９】
そして、照明７には、その外周面の係合溝６１に臨む位置に電源コード７１が接続されており、この電源コード７１は、係合溝６１に嵌め込まれるとともに、係合溝６１を通じて筺体１内の背面板３側の空間に配設されて、天板４２から側面板４３を経て底板４１に正面視コ字状に固定されることにより、切り欠き溝４８を挿通して、筺体１の外部に配設されている。
換言すると、第２の実施形態の照明付き装飾装置は、支持板６に係合爪６２が形成されることなく、電源コード７１が係合溝６１を通じて、筺体１内の背面板３側の空間に配設されて、天板４２から側面板４３を経て底板４１に正面視コ字状に固定される点のみが第１の実施形態と異なっている。
【００３０】
次いで、上記第２の実施形態の照明付き装飾装置の作用について説明する。
まず、背面板３を水平にスライドさせて筺体１を開いた後に、支持板６を幅方向の一端部を手前側に、すなわち、背面板３側に引いて、支持板６の上部の姿勢を崩すとともに、係合溝６１に嵌め込まれている電源コード７１を上方に押し出す。これにより、電源コード７１と支持板６との係合を解いた後、支持板６を幅方向の一端側から引き出すことにより、支持板６を筺体１内から外部へと取り出す。
【００３１】
次いで、好みに応じて、装飾スペース４１ａに装飾品を載置するとともに、この支持板６に写真Ｄをセロハンテープ等によって支持板６に貼り付ける。その後、支持板６を幅方向の他端側から筺体１内のもとの位置に戻しつつ、電源コード７１を係合溝６１に嵌め込むことにより、支持板６を湾曲させて配置した後に、背面板３をスライドさせて筺体１を閉じる。
その後、第１の実施形態と同様に、電源コード７１の先端のプラグをコンセントに接続して、電源を入れる。
【００３２】
上述の照明付き装飾装置によれば、写真Ｄに対して間接的に光りを照らすことから、暗いところでも写真Ｄの絵柄を浮き上がらせるようにして鑑賞することができる。また、玄関等に置くことにより、周囲の空間に対するの間接照明として利用することができるだけでなく、照明光の写真Ｄによる吸収を効果的に抑制して、間接照明として光量を増加させることができ、光のエネルギー効率を高めることができる。
加えて、支持板６を前面板２前方に円中心を有する円弧状に湾曲させることによって、照明光によって写真Ｄを均等に照らすことができるとともに、底板４１に装飾スペース４１ａを形成することができる。このため、例えば、団体等に対する寄贈者に、この装飾スペース４１ａに団体名等を刻んだ寄贈の記念プレートを入れて贈るなど、照明装置の利用方法の幅を広げることもできる。
【００３３】
さらに、光源として用いた白色発光ダイオード７０が小型であることから、照明７を外観視において肉厚の円板状に形成することにより、例えば、写真Ｄが屋外の画像である場合には太陽のように、また室内の画像である場合には室内灯のように見せて、装飾装置全体としての装飾性を高めることができる。加えて、光が指向性を有するため、効果的に写真Ｄや装飾スペース４１ａに飾った装飾品を照らすことができるとともに、発熱量が少ないため装飾装置の構成部品として装飾性の観点から好ましい素材を選択することができる。
【００３４】
さらには、照明７を外観視において肉厚の円板状に形成して、その外周面の係合溝６１に臨む位置に電源コード７１を接続し、かつ支持板６の幅を底板４１よりも大きく、支持板６の高さを側面板４３と略同等の大きさに形成したため、背面板３側の空間に電源コード７１等を隠すことができ、意匠性を高めることができる。
【００３５】
特に、第１の実施形態の照明付き装飾装置によれば、電源コード７１を支持板６の湾曲方向の中央部に形成された係合溝６１に嵌め込むとともに、係合溝６１の下部に形成された上下一対の係合爪６２に嵌め込ませたため、支持板６の湾曲方向の中央部に荷重を作用させて姿勢保持能を補強することにより、支持板６を底板４１上に安定的に載置することができる。
【００３６】
他方、第２の実施形態の照明付き装飾装置によれば、電源コード７１を支持板６の湾曲方向の中央部に形成された係合溝６１に嵌め込むことによって、支持板６の位置を固定して、支持板６を底板４１上に安定的に載置することができるとともに、電源コード７１を天板４２から側面板４３を経て底板４１に正面視コ字状に固定したため、背面板３を外すことによって、支持板６を容易に筺体１内から取り出し、入れ込むことができる。
【００３７】
なお、本発明は、上述の実施の形態に何ら限定されるものでなく、例えば、支持板６が透明であっても、湾曲していなくても、また、写真Ｄ以外の絵等が貼り付けられていてもよく、係合部材４２ａが設けられていなくてもよいものである。また、底板４１、天板４２及び一対の側面板４３並びに背面板３が透明であってもよいものである。
さらには、背面板３は、底板４１および天板４２に形成された突条部材４９によるスライドレールをスライドすることにより取り外し可能に設けられたものでなくてもよく、例えば、一般的な額や写真立てのように、底板４１、天板４２及び一対の側面板４３にそれぞれ一体に設けられた複数本のトンボ等の係合ピンによって、取り外し可能に設けらたものであってもよい。
【図面の簡単な説明】
【００３８】
【図１】本発明に係る第１実施形態の照明付き装飾装置の斜視図である。
【図２】本発明に係る第１実施形態の照明付き装飾装置の正面図である。
【図３】図２におけるＡ−Ａ断面図である。
【図４】図２におけるＢ−Ｂ断面図である
【図５】図２におけるＡ−Ａ線を切断した場合の第２実施形態の照明付き装飾装置の断面図である。
【図６】図２におけるＢ−Ｂ線を切断した場合の第２実施形態の照明付き装飾装置の断面図である。
【符号の説明】
【００３９】
１    筺体
２    前面板
３    背面板
５    台座
６    支持板
７    照明
４１  底板
４１ａ装飾スペース
４２  天板
４２ａ係合部材
４３  側板
４８  切り欠き溝（挿通孔）
４９  突条部材
６１  係合爪
７０  白色発光ダイオード
７１  電源コード
Ｄ    写真
【図１】
2009066206.tif 000003
【図２】
2009066206.tif 000004
【図３】
2009066206.tif 000005
【図４】
2009066206.tif 000006
【図５】
2009066206.tif 000007
【図６】
2009066206.tif 000008